(57)【特許請求の範囲】
【請求項１】
放送波を受信する受信手段と、
受信した放送波から音声信号、映像信号、および字幕信号を分離する分離手段と、
前記音声信号の無音部に基づいてＣＭの開始点を検出するＣＭ開始点検出手段と、
前記ＣＭ開始点の検出後に、音声信号の無音部と無音部の間隔が所定の時間ではない状態もしくは、字幕信号を受信した状態のどちらか一方を満たしたときにＣＭが終了したことを判断するＣＭ終了点検出手段と、
前記音声信号の無音部と無音部の間隔が所定の時間ではなく、且つ無音探索時間が所定時間未満のとき、無音探索処理を再度実行する音声制御部と、を有することを特徴とする放送受信装置。
【請求項２】
放送波を受信する受信手段と、
受信した放送波から音声信号、映像信号、および字幕信号を分離する分離手段と、
前記映像信号のシーンチェンジに基づいてＣＭの開始点を検出するＣＭ開始点検出手段
と、
前記ＣＭ開始点の検出後に、映像信号のシーンチェンジとシーンチェンジの間隔が所定の時間ではない状態もしくは、字幕信号を受信した状態のどちらか一方を満たしたときにＣＭが終了したことを判断するＣＭ終了点検出手段と、
前記映像信号のシーンチェンジとシーンチェンジの間隔が所定の時間ではなく、且つシーンチェンジ探索時間が所定時間未満のとき、シーンチェンジ探索処理を再度実行する制御部と、を有することを特徴とする放送受信装置。
【請求項３】
前記ＣＭ終了点検出手段によってＣＭが終了したことを検出したとき、ＣＭが終了したことをユーザに報知するＣＭ終了報知手段を更に有することを特徴とする請求項１又は請求項２に記載の放送受信装置。
【請求項４】
前記分離手段によって分離した映像信号を出力する表示手段と、
前記ＣＭ終了点検出手段によってＣＭが終了したことを検出したときに、前記表示手段が前記映像信号以外の表示を行っている場合には、前記表示手段の出力を前記映像信号の表示に切り替える表示切換手段を更に有することを特徴とする請求項１又は請求項２に記載の放送受信装置。
【発明の詳細な説明】
【技術分野】
【０００１】
本発明は放送信号に含まれるＣＭを検出する放送受信装置に関する。
【背景技術】
【０００２】
テレビ放送やラジオ放送は、多くの場合、番組途中や番組と番組の間にＣＭ（ｃｏｍｍｅｒｃｉａｌ  ｍｅｓｓａｇｅ）が挟まれて放送されている。しかしながら、ＣＭはユーザにとって必要な情報ではない場合が多い。そこで、ＣＭが放送されている区間を検出するＣＭ検出装置が提案されている（例えば、特許文献１参照。）。
【特許文献１】特開平３−１８４４８４号公報
【発明の開示】
【発明が解決しようとする課題】
【０００３】
特許文献１に記載されたＣＭ検出装置では、放送データの音声が無音の部分と次の無音の部分との間隔が１５秒もしくは３０秒であるならば、その区間をＣＭと判定する。これは、ほとんどのＣＭの初めと終わりに０．５〜２秒程度の無音があることと、ＣＭの秒数は１５秒もしくは３０秒であることが多いことを利用している。
【０００４】
図７は、上記ＣＭ検出装置でのＣＭ検出処理を示すもので、１５秒のＣＭ１とＣＭ２、３０秒のＣＭ３とＣＭ４が本編と本編の間に放送された場合を示している。それぞれのＣＭとＣＭの間およびＣＭと本編の間には無音の部分がある。ＣＭ検出装置は、無音を検出してから１５秒後が無音か否かを判定する。例えば、ＣＭ１またはＣＭ２では、無音を検出してから１５秒後が無音であるので、１５秒のＣＭが終了したと判定する。また、ＣＭ３またはＣＭ４では、無音検出から１５秒後が無音ではないため、１５秒以上のＣＭであると推測して、さらに１５秒後が無音か否かを判定する。ＣＭ３またはＣＭ４の場合には、無音検出から３０秒後が無音であるため、３０秒のＣＭが終了したと判定する。しかしながら、このような方法では、無音後に始まったのがＣＭであるのか本編であるのか判断できるのは、無音検出から１５×Ｎ秒後（Ｎは、事前に設定された所定の数。）となるため、ＣＭから本編に移行後、１５×Ｎ秒経過しないと本編が放送されていると判断することができない。例えば、１５秒のＣＭと３０秒のＣＭを検出する場合、図７に示すように、ＣＭ区間が終了したことを検出することができるのは、本編開始後３０秒が経過してからとなる。
【０００５】
このように特許文献１に記載されたＣＭ検出処理は、リアルタイムでＣＭ区間の検出ができないため、放送中のＣＭ区間の終了を報知する場合のようにリアルタイム性が要求される場合には、有効ではないという問題点がある。そこで本発明は、ＣＭ終了タイミングを早く検出することができる放送受信装置を提供することを目的とする。
【課題を解決するための手段】
【０００６】
上記目的を達成するために、本発明の放送受信装置は、放送波を受信する受信手段と、受信した放送波から音声信号、映像信号、および字幕信号を分離する分離手段と、前記音声信号の無音部に基づいてＣＭの開始点を検出するＣＭ開始点検出手段と、前記ＣＭ開始点の検出後に、音声信号の無音部と無音部の間隔が所定の時間ではない状態もしくは、字幕信号を受信した状態のどちらか一方を満たしたときにＣＭが終了したことを判断するＣＭ終了点検出手段と、前記音声信号の無音部と無音部の間隔が所定の時間ではなく、且つ無音探索時間が所定時間未満のとき、無音探索処理を再度実行する音声制御部と、を有することを特徴としている。
【発明の効果】
【０００７】
本発明の放送受信装置によれば、ＣＭ終了タイミングを早く検出することができる。
【発明を実施するための最良の形態】
【０００８】
以下、本発明の実施形態について図面を参照して説明する。本実施形態は、デジタルテレビ放送を受信して出力する機器を本発明の放送受信装置の一例として説明する。
【０００９】
図１は、本実施例のデジタルテレビ放送を受信する放送受信装置１の構成を示すブロック図である。放送受信装置１は、放送受信装置１の制御を行う制御部１０を有し、この制御部１０には、放送受信部２０、記憶部３０、計時部４０、表示部５０、音声出力部６０、操作部７０が接続されている。放送受信部２０は、アンテナによって受信した放送波を処理する。この処理については後述する。記憶部３０は、チャンネルリストなどのデータやソフトウェアを記憶する。計時部４０は、現在時刻を計時する。表示部５０は、放送受信部２０から出力される映像信号や記憶部３０に記憶されたデータを表示する。音声出力部６０は、放送受信部２０から出力される音声信号や記憶部３０に記憶された音声データを出力する。操作部７０は、ユーザからの操作を受け付ける。
【００１０】
図２は、放送受信部２０の内部構成を詳細に示すブロック図である。チューナ部２１はチャンネル選局された放送波を受信し、ＡＤ変換、復調、誤り訂正を行い、ＤＥＭＵＸ部２２へ出力する。ＤＥＭＵＸ部２２はチューナ部２１から入力された信号を音声信号、映像信号、字幕信号へ分離する処理を行う。分離された音声信号は音声制御部２３によって復号されて、音声出力部６０とＣＭ検出部２６に入力される。また、映像信号と字幕信号は、それぞれ映像制御部２４と字幕制御部２５によって復号されて、表示部５０およびＣＭ検出部２６に入力される。ＣＭ検出部２６では、入力された映像信号と字幕信号に基づいてＣＭの開始点と終了点を判定し、この判定の結果に基づいて、少なくともＣＭ終了点の情報もしくはＣＭが終了したことを示す情報を含むＣＭ検出結果が制御部１０に出力される。制御部１０は、ＣＭ検出部２６から入力されたＣＭ検出結果に基づいて、表示部５０に対して文字や画像を表示させる制御や音声出力部６０に対して音を出力させる制御を行うことができる。
【００１１】
続いて図３および図４のフローチャートを参照して、ＣＭ検出部２６がＣＭの開始点とＣＭの終了点を判定する処理を説明する。
【００１２】
ＣＭ検出部２６は、音声制御部２３によって復号された音声信号が無音となった時点をＣＭ開始点として記憶部３０に登録する（Ｓ１０１）。ＣＭ開始点の登録は、ＣＭ開始の時刻を記憶しても良いし、番組開始など所定の時刻からの経過時間でも良い。なお、ＣＭ開始点の検出は、無音によって判断するだけでなく、ＣＭ区間には字幕信号の文字データを受信しないことから、字幕信号の文字データを受信しているか否かを判断材料に加えても良い。このようにＣＭ開始点を登録してから、次に無音を検出したならば（Ｓ１０２のＹｅｓ）、このときの無音検出時刻を記憶部３０に記憶する（Ｓ１０３）。そして、前回の無音検出時刻からの経過時間が１５の倍数で表される秒数（以降、１５×Ｎ秒と表記する）ならば（Ｓ１０４のＹｅｓ）、ＣＭとＣＭの境界もしくはＣＭと本編の境界であると判断する。なお、ステップＳ１０４では前回の無音時刻からの経過時間が１５×Ｎ秒か否かを判定しているが、ＣＭ開始点からの経過時間が１５×Ｎ秒か否かによって判定しても良い。また、１５×Ｎ秒と一致しなくても所定の時間（例えば１秒以内）の誤差を許容しても良い。
【００１３】
ステップＳ１０４でＹｅｓと判定された時点では、ＣＭとＣＭの境界なのかＣＭと本編の境界なのかが判断できない。そこで、この境界をＣＭの終了点と仮登録しておく（Ｓ１０５）。なお仮登録されるＣＭ終了点は、ステップＳ１０３で記憶した無音時刻と同様のデータを記憶しても良いし、ステップＳ１０３で記憶した無音検出時刻がＣＭ終了点の可能性があることを示すフラグを記憶しても良い。このようにＣＭ終了点を仮登録した後、次の無音を探索し、無音が検出され、前回の無音との間隔（もしくはＣＭ開始点からの間隔）が１５×Ｎ秒ならば（Ｓ１０４のＹｅｓ）、新たな無音点をＣＭ終了点として仮登録する（Ｓ１０５）。
【００１４】
なお、ＣＭ途中で無音が検出される場合もある。そこで、無音と無音との間隔が１５×Ｎ秒に一致しなかった場合（Ｓ１０４のＮｏ）、この無音探索時間が所定の時間未満ならば（Ｓ１０６のＮｏ）、ステップＳ１０２からの無音探索処理を再度実行する。この所定の時間とは例えば、ほとんどのＣＭの長さをカバーする秒数（例えば４５秒）に設定する。無音探索処理の再実行時に、ステップＳ１０４では、前回の無音からの経過時間だけでなく、それ以前の無音からの経過時間も測定する。これによって、ＣＭ途中で無音が検出されたとしても、ＣＭ終了点を取得することができる。
【００１５】
また、無音部と無音部の間隔が１５×Ｎ秒に一致せず、無音探索時間が所定の時間以上ならば、ＣＭは終了していると判定して、ＣＭ検出結果を出力する。このＣＭ検出結果は、例えば、ＣＭが終了したことを示す情報でも良いし、ＣＭの開始時刻と終了時刻を示す情報でも良い。
【００１６】
なお、音声信号の無音を用いるのに代えて、映像信号のシーンチェンジを用いても良い。映像信号のシーンチェンジを用いる場合には、ＣＭ検出部２６に映像制御部２４によって復号された映像信号を入力して、シーンチェンジのタイミングを検出し、１５×Ｎ秒ごとに起きるシーンチェンジをＣＭ開始点やＣＭ終了点の判断に用いる。
【００１７】
さらに、図３に示したフローチャートの処理に加えて、図４に示す処理によって字幕信号からもＣＭが終了したことを判断する。この字幕信号は、字幕として表示部５０に表示される文字列を含む信号である。字幕信号を検出したときに（Ｓ１５１）、ＣＭの開始点が登録されていて、これに対応するＣＭの終了点が登録されていない場合であるか否か判断する（Ｓ１５２）。ＣＭ開始点が登録されていて、これに対応するＣＭの終了点が未登録の場合とは、ＣＭ検出部２６が、現在処理している信号はＣＭ中の信号であると判定していることを示す。しかしながら、字幕信号はＣＭには付与されない。そこで、字幕信号を検出したときに、ＣＭ開始点が登録済みでＣＭ終了点が未登録の場合には（Ｓ１５２のＹｅｓ）、ＣＭが終了したと判定して、ＣＭ検出結果を出力する（Ｓ１５３）。これによって、字幕信号を受信した時点で直ちに本編に入ったことを検出することができる。
【００１８】
以上のように、音声信号の無音および字幕信号を用いてＣＭ開始点およびＣＭ終了点を検出することができる。音声信号の無音だけを用いた場合よりも、字幕信号を用いることによって図５に示すように、図７に示した無音だけによってＣＭを検出する場合よりもＣＭ終了点の検出が早くなる。
【００１９】
このようにＣＭ終了タイミングの検出が早いことによって、録画した信号に対してＣＭを検出するだけでなく、放送中の信号に対してもＣＭを検出することができる。これによって、ＣＭ検出部２６からＣＭ検出結果を入力された制御部１０は、放送中の信号がＣＭではないと判断されたタイミングで、表示部５０への表示や音声出力部６０への音の出力を行わせ、ＣＭが終了したことをユーザに報知することができる。更に、制御部１０は、例えばＣＭの期間中は他のアプリケーションソフトウェアを実行し、ＣＭから本編に移行するときに、ユーザに対して報知することも可能である。
【００２０】
実行するアプリケーションソフトウェアは、放送波受信中に操作部７０によって所定の操作を受けることによって開始する。もしくは、ＣＭ開始点が登録されたとき自動的に、予め定められたアプリケーションソフトウェアを実行しても良い。このアプリケーションソフトウェアを実行中には、放送された映像信号出力および音声信号出力を中断しても良いし、実行するアプリケーションソフトウェアが音声信号を伴うでなければ放送された音声信号は出力して、アプリケーションソフトウェアが音声信号を伴うものならば音声信号を出力しないように制御しても良い。
【００２１】
図６は、ＣＭ中にアプリケーションソフトウェアを実行し、ＣＭから本編に移行したときのユーザ報知の一例として、画面表示によるユーザ報知を説明する図である。図６では、ＣＭ中に文書作成のためのアプリケーションを実行している例を用いて説明する。
【００２２】
ＣＭ終了のユーザ報知として制御部１０は、表示部５０に対して図６のような表示を行わせるよう制御する。表示は、図６（ａ）のようにＣＭ終了報知用の文字データや画像を作業画面の最前面に表示しても良いし、図６（ｂ）のようにアプリケーションソフトウェアの画面が表示されるスペース以外のスペースにＣＭ終了報知用の文字データや画像を表示しても良い。図６（ｂ）では、表示スペースの上部にアイコンが表示している。また、表示によるユーザ報知を行う場合、図６（ａ）のように文字データと画像の両方を表示しても良いし、文字のみ、もしくは画像のみでも良い。
【００２３】
また、ユーザ報知は画面表示に限らず、音声出力部からの報知音の出力でも良いし、ＬＥＤなどのランプがあればその点灯による報知でも良いし、バイブレータなどがあればバイブレータの作動による報知でも良い。もしくは、これらの報知手段を組み合わせても良い。さらにまた、ＣＭ終了を検出すると自動的に、放送された映像信号と音声信号を出力するように切り替えても良い。
【００２４】
このような実施形態の構成をとることで、ＣＭ終了を早く検出することができる。
【００２５】
なお、上記実施形態に限定されることはなく、本発明の要旨を逸脱しない範囲において、適宜変更しても良い。
【図面の簡単な説明】
【００２６】
【図１】本発明の実施形態に係る放送受信装置の構成図。
【図２】本発明の実施形態に係る放送受信装置の放送受信部の機能を説明するための図。
【図３】本発明の実施形態に係る放送受信装置が、放送音声信号の無音声部によってＣＭの開始点および終了点を検出する処理を示すフローチャート。
【図４】本発明の実施形態に係る放送受信装置が、字幕信号によってＣＭの終了点を検出する処理を示すフローチャート。
【図５】本発明の実施形態に係る放送受信装置が、ＣＭの終了点を検出するタイミングの例を示した図。
【図６】本発明の実施形態に係る放送受信装置が、ＣＭの終了を報知するために表示する画面表示の例を示した図。
【図７】従来技術を説明するための図。
【符号の説明】
【００２７】
１  放送受信装置、１０  制御部、２０  放送受信部、３０  記憶部、４０  計時部、５０  表示部、６０  音声出力部、７０  操作部、２１  チューナ部、２２  ＤＥＭＵＸ部、２３  音声制御部、２４  映像制御部、２５  字幕制御部、２６  ＣＭ検出部
【図１】
0005277582.tif 000002
【図２】
0005277582.tif 000003
【図３】
0005277582.tif 000004
【図４】
0005277582.tif 000005
【図５】
0005277582.tif 000006
【図６】
0005277582.tif 000007
【図７】
0005277582.tif 000008